(57)【要約】      （修正有）【課題】筐体内部に配設された発光部による光漏れ若しくは光透けの無い携帯電子機器を提供する。【解決手段】筐体と、筐体内部に配設される発光部２７と、発光部２７が放射する光を受光する受光面１５と、筐体外部に露出して光を放射する放射面１６とを有する導光部材１４とを有し、導光部材１４の受光面１５と放射面１６以外の面は、光を内部で反射させる反射処理がなされている。また、導光部材１４はインジケータとしての機能を有する。【選択図】図２
2011010101.tif 000002
【特許請求の範囲】
【請求項１】
筐体と、
前記筐体内部に配設される発光部と、
前記発光部に対向して前記発光部が出射する光を受光する受光面と前記筐体外部に露出して光を放射する放射面とを有する導光部材と、を有し、
前記導光部材の前記受光面と前記放射面以外の面は、光を内部側で反射させる反射処理がなされている
携帯電子機器。
【請求項２】
前記導光部材は、携帯電子機器の動作状態を示すインジケータとしての機能を有する
請求項１に記載の携帯電子機器。
【請求項３】
前記筐体の表面に形成される表示部を有し、
前記導光部材は、前記表示部の近傍に配置されている
請求項１又は２に記載の携帯電子機器。
【請求項４】
前記発光部は、プリント基板上に形成され、
前記導光部材はプリント基板と当接状態に形成される
請求項１〜３いずれか１項に記載の携帯電子機器。
【請求項５】
前記導光部材は、
有底の穴の形状に形成され前記発光部を収納する発光部収納部と、
前記発光部収納部の周りに形成される張出部と、を有し、
前記発光部収納部の表面は受光面を形成し、
前記張出部は、前記プリント基板と当接する
請求項４に記載の携帯電子機器。
【請求項６】
前記発光部収納部の形状は、収納される発光部を中心とした球面構造となっている
請求項５に記載の携帯電子機器。
【請求項７】
前記発光部の前記受光面と前記放射面は、対向していない
請求項１〜６いずれか１項に記載の携帯電子機器。
【請求項８】
前記導光部材が配置される周辺部分には、透明又は半透明な透明部が形成されている
請求項１〜７いずれか１項に記載の携帯電子機器。
【請求項９】
前記筐体の内部には、押圧を検出するスイッチが形成され、
前記導光部材はキーシートであり、
前記キーシートは、前記スイッチの表面側の位置に、透明又は半透明に形成され、
前記発光部は、前記キーシートに光を照射し、
前記キーシートは、
前記筐体の外部に露出しており、押圧されるキートップ頭頂面と、
キートップ側面と、を有し、
前記キートップ側面には、反射処理がなされている
請求項１に記載の携帯電子機器。
【請求項１０】
前記スイッチはプリント基板上に、メタルドームと固定接点を含んで形成され、
前記発光部は、前記プリント基板の前記メタルドームが形成される部分内部側に実装されており、
前記メタルドームの一部には、前記発光部から出射された光を通過させる為のメタルドーム光通過部が形成されている
請求項９に記載の携帯電子機器。
【請求項１１】
前記発光部は、前記プリント基板の前記スイッチ部が形成される側とは反対の面に実装されており、
前記プリント基板には、前記発光部から発光された光を通過させるためのプリント基板光通過部が形成されている
請求項１０に記載の携帯電子機器。
【請求項１２】
前記プリント基板の内部側の位置に内部筐体が配置されており、
前記内部筐体の表面側位置には、有底の穴形状に形成され前記発光部を収納する内部筐体収納部が形成されている
請求項１１に記載の携帯電子機器。
【請求項１３】
前記内部筐体収納部は、前記発光部を中心とした球面形状である
請求項１２に記載の携帯電子機器。
【請求項１４】
前記メタルドーム光通過部は、貫通穴又は透明部材によって形成されている
請求項１１〜１３いずれか１項に記載の携帯電子機器。
【請求項１５】
前記プリント基板光通過部は、貫通穴又は透明部材によって形成されている
請求項１１〜１４いずれか１項に記載の携帯電子機器。
【請求項１６】
前記キートップ側面の周辺には、透明又は半透明な透明部が配置されている。
請求項９〜１５いずれか１項に記載の携帯電子機器。
【請求項１７】
前記反射処理は、金属蒸着によってなされている
請求項１〜１６に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、着信した場合に発光する発光体からの光を筐体外部に導く導光体を有する携帯電子機器が開示されている。
【先行技術文献】
【特許文献】
【０００３】
【特許文献１】特開２０００―１９６７１９号公報
【発明の概要】
【発明が解決しようとする課題】
【０００４】
しかしながら、特許文献１に記載の方法においては、筐体の導光体との隙間から光漏れが発生してしまう。
【０００５】
本発明の目的は、筐体内部に配設された発光部による光漏れ若しくは光透けの無い携帯電子機器を提供することである。
【課題を解決するための手段】
【０００６】
本発明の第１の観点の携帯電子機器は、筐体と、前記筐体内部に配設される発光部と、前記発光部に対向して前記発光部が出射する光を受光する受光面と前記筐体外部に露出して光を放射する放射面とを有する導光部材と、を有し、前記導光部材の前記受光面と前記放射面以外の面は、光を内部側で反射させる反射処理がなされている。
【０００７】
好適には、前記導光部材は、携帯電子機器の動作状態を示すインジケータとしての機能を有する。
【０００８】
好適には、前記筐体の表面に形成される表示部を有し、前記導光部材は、前記表示部の近傍に配置されている。
【０００９】
好適には、前記発光部は、プリント基板上に形成され、前記導光部材はプリント基板と当接状態に形成される。
【００１０】
好適には、前記導光部材は、有底の穴の形状に形成され前記発光部を収納する発光部収納部と、前記発光部収納部の周りに形成される張出部と、を有し、前記発光部収納部の表面は受光面を形成し、前記張出部は、前記プリント基板と当接する。
【００１１】
好適には、前記発光部収納部の形状は、収納される発光部を中心とした球面構造となっている。
【００１２】
好適には、前記発光部の前記受光面と前記放射面は、対向していない。
【００１３】
好適には、前記導光部材が配置される周辺部分には、透明又は半透明な透明部が形成されている。
【００１４】
本発明の第２の観点の携帯電子機器は、前記筐体の内部には、押圧を検出するスイッチが形成され、前記導光部材はキーシートであり、前記キーシートは、前記スイッチの表面側の位置に、透明又は半透明に形成され、前記発光部は、前記キーシートに光を照射し、前記キーシートは、前記筐体の外部に露出しており、押圧されるキートップ頭頂面と、キートップ側面と、を有し、前記キートップ側面には、反射処理がなされている。
【００１５】
好適には、前記スイッチはプリント基板上に、メタルドームと固定接点を含んで形成され、前記発光部は、前記プリント基板の前記メタルドームが形成される部分内部側に実装されており、前記メタルドームの一部には、前記発光部から出射された光を通過させる為のメタルドーム光通過部が形成されている。
【００１６】
好適には、前記発光部は、前記プリント基板の前記スイッチ部が形成される側とは反対の面に実装されており、前記プリント基板には、前記発光部から発光された光を通過させるためのプリント基板光通過部が形成されている。
【００１７】
好適には、前記プリント基板の内部側の位置に内部筐体が配置されており、前記内部筐体の表面側位置には、有底の穴形状に形成され前記発光部を収納する内部筐体収納部が形成されている。
【００１８】
好適には、前記内部筐体収納部は、前記発光部を中心とした球面形状である。
【００１９】
好適には、前記メタルドーム光通過部は、貫通穴又は透明部材によって形成されている。
【００２０】
好適には、前記プリント基板光通過部は、貫通穴又は透明部材によって形成されている。
【００２１】
好適には、前記キートップ側面の周辺には、透明又は半透明な透明部が配置されている。
請求項９〜１５いずれか１項に記載の携帯電子機器。
【００２２】
好適には、前記反射処理は、金属蒸着によってなされている。
【発明の効果】
【００２３】
本発明によると、筐体内部に配設された発光部による光漏れ若しくは光透けの無い携帯電子機器を提供することができる。
【図面の簡単な説明】
【００２４】
【図１】本発明の実施形態に係る携帯電話機１の外観を示す斜視図である。
【図２】図１のＩＩ−ＩＩにおける断面図である。
【図３】図２のインジケータの説明図である。
【図４】図２のインジケータのより有利な変形例の説明図である。
【図５】本実施形態のさらに有利な変形例である。
【図６】図１のＶＩ―ＶＩにおける断面の説明図である。
【図７】図６におけるキー照光部Ａの拡大図である。
【図８】照光方法を説明する説明図である。
【図９】プリント基板の説明図である。
【図１０】反射処理の特性を説明する説明図である。
【発明を実施するための形態】
【００２５】
図１は、本発明の実施形態に係る携帯電話機１の外観を示す斜視図である。
【００２６】
図１のように、携帯電話機１は非折り畳み式である。
携帯電話機１は入力部１０及び表示部８が形成されているフロントケース６と、反対側部分を構成するリアケース７とを有している。以下、フロントケース６とリアケース７とをあわせて筐体２という。
【００２７】
フロントケース６及びリアケース７はネジ等により互いに固定され、フロントケース６及びリアケース７の間に形成された空間に種々の電子部材を収容する収容空間が構成される。
フロントケース６及びリアケース７は、例えば、樹脂により形成されている。
【００２８】
入力部１０には、複数の入力キーが配置されており、ユーザはこの入力キーを押圧することによって携帯電話機１に命令・入力を行う。
なお、入力部１０は図１ではフロントケース６の表面にのみ配置されているが、筐体２の右側面１１、左側面１２、上側面５０及び下側面５１に配置されているサイドキーも含まれる。
【００２９】
表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００３０】
フロントケース６は、２色成形によって形成されている。
つまり、フロントケース６の表示部８が配置されている近傍は透明な樹脂によって形成される透明部６ａから構成されており、その他の部分は不透明な樹脂によって構成されている非透明部６ｂから構成されている。
なお、フロントケース６は２色形成によって一体的に形成することも可能であるが、透明部分と不透明な部分とを別に構成することも可能である。
【００３１】
なお、方向を示すときは、リアケース７からフロントケース６に向かう方向を表面方向（図１においては、紙面手前の方向）といい、フロントケース６からリアケース７に向かう方向を裏面方向（図１においては、紙面奥手の方向）という。
【００３２】
また、入力部１０から表示部８に向かう方向の位置にある側面を上側面５０とし、表示部８から入力部１０に向かう方向の位置にある側面を下側面５１とする。
そして、上側面５０に向かう方向を上側面方向（図1においては紙面右の方向）といい、下側面５１に向かう方向を下側面方向（図１においては紙面左の方向）という。
【００３３】
さらに、表示部８を上にして入力部１０を下として、携帯電話機１を見たときに、右側に来る側面を右側面１１とし、左側に来る側面を左側面１２という。
そして、右側面１１側に向かう方向を右側面方向（図１においては、紙面下の方向）といい、左側面１２面に向かう方向を左側面方向（図１においては、紙面上の方向）という。
【００３４】
フロントケース６の上側面方向の位置には、インジケータ１３が配置されている。つまり、表示部８の近傍であって表示部８の上側面方向の位置であって、フロントケース６の端部に、インジケータ１３が配置されている。
このような位置に、インジケータ１３が配置されているということは、インジケータ１３の一部が透明部６ａの中に形成されることを意味する。
そのため、特段の対策を行わないと、インジケータ１３に入射した光がインジケータ１３のインジケータ側面１４（図２及び図３において図示する）から、フロントケース６の透明部６ａに光が漏洩してしまうおそれがある。
そこで、後述する手段によって、インジケータ１３から光が漏洩して、フロントケース６の透明部６ａが照光されてしまわないようにしたものである。
【００３５】
インジケータ１３は、電話の着信、メールの着信、アラーム時刻の到来等の情報をユーザに認知させるためのものである。
認知させる方法としては、インジケータ１３を特定の色で発光させる、又は点灯させることによる方法による。
インジケータ１３の構成の詳細は、図２及び図３の説明において説明する。
【００３６】
図２は、図１のＩＩ−ＩＩにおける断面図である。
【００３７】
図２の様に、インジケータ１３は断面形状が略平行四辺形の形状を有する。
インジケータ１３がフロントケース６の外部に露出している面は、光を放射するインジケータ光放射面１６となる。
また、このインジケータ光放射面１６の反対側の面は、発光部２７から出射された光を受光するインジケータ受光面１５を形成する。
発光部２７はプリント基板２１に実装されており、プリント基板２１に実装されている制御部によって発光量の制御、発光色の制御等がなされる。
発光部２７は、例えば、ＬＥＤ（Light Emitting Diode:発光ダイオード）によって形成される。
また、発光部２７は赤、青、緑に発光する３つのダイオードから構成して、これらの３色の発光量を制御することによって発光色を変化させることができる。
【００３８】
インジケータ１３のインジケータ受光面１５、インジケータ光放射面１６以外の面であるインジケータ側面１４は、アルミニウム、銅、銀等を蒸着して光を反射するようにする反射処理が行われる。
これによって、一度インジケータ受光面１５から入射した光は、インジケータ側面１４において漏れ出すことが防止される。
なお、反射処理は単に光を反射すれば足りるのであるから、蒸着に限定する必要はない。
もっとも、蒸着処理による場合には、蒸着による反射処理によって形成される層は極めて薄く形成することができる。
そうすると、インジケータ１３をフロントケース６に隙間なくはめ込むことができるので有利である。
【００３９】
特に、図２のように、インジケータ１３の近傍に透明部６ａが配置されている場合には、インジケータ１３のインジケータ側面１４から光が漏れ出すと透明部６ａから光が携帯電話機１の外部に漏れ出してしまうおそれがあることから、反射処理を施すことは効果が高い。
また、たとえば、インジケータ１３の近傍に液晶パネル５２が配置されると、この液晶パネル５２から携帯電話機１の外部に光が漏れ出してしまうおそれがある。
この場合にも、本実施例の様に、インジケータ側面１４から光が漏れ出さないように反射処理を施すことは効果が高い。
【００４０】
なお、インジケータ１３の内部は透明又は半透明に形成する。また、インジケータ１３を透明に形成した場合には、インジケータ１３を通して携帯電話機１の内部が見えないように、インジケータ光放射面１６に半透明処理を行う。
【００４１】
図３は、図２のインジケータ１３の説明図である。
【００４２】
図３のように、インジケータ受光面１５とインジケータ光放射面１６以外の面は蒸着によって反射処理されている。
【００４３】
図４は、図２のインジケータ１３のより有利な変形例の説明図である。
【００４４】
図４（ａ）のように、インジケータ受光面１５の発光部２７に対向する以外の部分を、プリント基板２１側に張り出させる。この張出した部分を張出部１８という。また、この張出部１８が張出したことによって結果的に溝形状になった部分を発光部収納部１７という。
この発光部収納部１７内に発光部２７が収納される。
また、張出部１８はプリント基板２１に密接するか、微小な空間を隔てて対向するように形成する。
このように形成したことによって、発光部２７から出射された光が他に漏れ出すことがより低減され、かつ、発光部２７から出射された光の多くをインジケータ１３に受光させることができる。
【００４５】
図４（ｂ）は図４（ａ）のより有利な変形例である。
図４（ｂ）のように、発光部収納部１７の形状を、発光部２７を中心とした球面形状とする。
このように構成したことによって、発光部２７から出射された光がインジケータ受光面１５において反射してインジケータ１３内に入射されないことを、大幅に低減することができる。
また、図４（ｂ）の発光部２７から出射された光が他に漏れ出すことがより低減され、かつ、発光部２７から出射された光の多くをインジケータ１３に受光させることができるという効果も同時に果たすことができる。
【００４６】
なお、インジケータ１３の近傍に配置される部材（筐体２）は、透明又は半透明でなくても、発光部２７からの光を筐体２の外部に漏洩させてしまう様な部材であれば同様である。
つまり、色のついた筐体２であってもその肉厚が薄い等で、発光部２７からの光を透過させてしまう場合には、本発明を適用することが可能である。
そうすることによって、光の漏洩防止のために筐体２の肉厚を厚くする、筐体２の内部に遮光シートを張るなどの対策が不要となる。
【００４７】
図５は、本実施形態のさらに有利な変形例である。
【００４８】
本発明のように、インジケータ１３のインジケータ側面１４に反射処理を施すと、インジケータ受光面１５とインジケータ光放射面１６とが対向位置に配置されていない場合にも照光することが可能となる。
つまり、図５のように、インジケータ受光面１５とインジケータ光放射面１６の間において、直接光線が通っていない場合であっても、インジケータ光放射面１６から光を放射することができる。
このような構成は、プリント基板２１に発光部２７が配置されており、発光部２７の位置を容易に変更できない場合に、単にインジケータ１３の形状を変えるだけで、インジケータ光放射面１６を照光できることになり有利である。
【００４９】
＜変形例＞
以上の実施形態においては、インジケータ１３の側面に蒸着処理を行っていたが、本発明はインジケータ１３にとどまるものではない。
つまり、本発明における技術的思想を上位で捉えると、導光部材が光を導光する場合に、その導光されている光が漏れることを防止するというものである。
そうすると、このような技術的思想は他にも応用可能である。
具体的な応用例を以下に記載する。
【００５０】
図６は、図１のＶＩ―ＶＩにおける断面の説明図である。
【００５１】
フロントケース６とリアケース７とが、その内面どうしを対向させて結合している。
そして、それによって形成される内部空間に、内部筐体２０が配置されている。内部筐体２０の裏面方向には、バッテリ収納部２８が形成されている。
そして、このバッテリ収納部２８に着脱可能なバッテリ２２が配置されている。このバッテリ２２は携帯電話機１に電力を供給している。
さらに、裏面方向には、バッテリ２２を交換可能とするためにバッテリカバー２３が配置されている。
【００５２】
内部筐体２０の、表面方向には、スイッチ２６が実装されるプリント基板２１が配置されている。このプリント基板２１は、図示していない発光部２７が実装されている。
発光部２７は、例えば、ＬＥＤによって構成されている。
【００５３】
スイッチ２６は、例えば、固定接点２５と、ドーム状の板金であるメタルドーム２４により構成されている。メタルドーム２４は固定接点２５を覆っている。
ユーザがキートップ３０を押圧すると、それにともないラバーベース３１が弾性変形する。さらに、そのラバーベース３１の弾性変形によって、ラバーベース３１がメタルドーム２４の頭頂部に配置された押子３３を押圧する。
それによって、メタルドーム２４も弾性変形をおこす、その変形量が一定程度を超えると、メタルドーム２４の一部が凹んで反対側に凸となる。
これによって、メタルドーム２４はクリック感を生じつつ固定接点２５に当接する。
メタルドーム２４と固定接点２５が当接することによって電流が流れ、この電流の流れを制御部が検出する。そして、このことによって、ユーザによるキートップ３０の押しこみ、つまり、ユーザによるキー入力操作を検出する。
【００５４】
プリント基板２１の表面方向にはキーシート３２が配置されている。キーシート３２はユーザが押圧を行う部分である複数のキートップ３０と、複数のキートップ３０が接着されるラバーベース３１から成っている。
ラバーベース３１は、例えば、透明又は半透明で容易に撓むシリコン樹脂等で構成する。
一方、キートップ３０は、透明又は半透明で比較的強度の高いプラスチック等で構成する。
また、キートップ３０にはそのキートップ３０を押圧することによって入力される内容であるキー図形４０が形成（印刷等によって形成されている）されている。
なお、キートップ３０とラバーベース３１とは必ずしも別体で構成する必要はなく、一体的に構成してもよい。
【００５５】
フロントケース６には、キートップ３０が挿入（配設）されるための複数のキー開口部３５が形成されている。
キートップ３０は、フロントケース６の表面を向いたキートップ頭頂面３６と、円筒状又は角柱の側面を形成するキートップ側面３４を有する。
そして、キートップ側面３４は、キー開口部３５と対向した位置に配置される。
このキー開口部３５の周り部分には、フロントケース６の透明部６ａが配置されている。
このように、キートップ３０と透明部６ａは隣接しており、かつ、お互いに透明又は半透明であることから、キートップ３０と透明部６ａとを異なる色で照光すると色が混ざってしまうおそれがある。
そこで、キートップ側面３４部分に反射処理を行うことによって、色が混ざることを防止することが本発明における技術的思想である。
【００５６】
図７は、図６におけるキー照光部Ａの拡大図である。
【００５７】
図７のように、内部筐体２０の表面方向には、内部筐体収納部３９が形成されている。
この内部筐体収納部３９の形状は、円柱、角注又は球面形状等である。もっとも、このような形状に限定されるものではなく、発光部２７ａを収納可能であればどのような形状であってもよい。
この内部筐体収納部３９は、メタルドーム２４が形成される範囲内に形成されている。
また、メタルドーム２４が形成されている中心部分には、固定接点２５が形成されており、この固定接点２５の近傍に内部筐体収納部３９が形成されている。
この内部筐体収納部３９に発光部２７ａが収納されている。
【００５８】
内部筐体２０の表面方向の位置には、プリント基板２１が配置されている。そして、このプリント基板２１上に、発光部２７ａが実装されている。
プリント基板２１からの電力供給によって、発光部２７ａは任意に発光可能である。例えば、発光部２７ａは、赤、青、緑のＬＥＤから構成することによって任意の色及び光量で発光が可能である。
つまり、プリント基板２１上に配置される複数の発光部２７ａは、それぞれ別個独立な色に発光させることが可能である。
【００５９】
発光部２７ａは、内部筐体収納部３９内に収納されていることから、プリント基板２１の裏面方向の位置に配置されている。
発光部２７ａは、実装した基板の方向に光を発行するものである。
そして、発光部２７ａが配置されている部分には、プリント基板２１に穿かれた貫通孔形状のプリント基板光通過部３８が形成される。
もっとも、プリント基板光通過部３８は貫通孔である必要性は必ずしもなく、光を透過可能であればどのようなものであってもよく、例えば、透明なフィルムであってもよい。さらに、プリント基板２１全体が透明なフィルム形状であってもよい。
【００６０】
メタルドーム２４上には、発光部２７ａから出射された光を通過させる為のメタルドーム光通過部３７が形成される。
このメタルドーム光通過部３７は貫通孔形状に形成される。
もっとも、メタルドーム光通過部３７は貫通孔である必要性は必ずしもなく、光を透過可能であればどのようなものであってもよく、例えば、透明なフィルムであってもよい。さらに、メタルドーム２４全体を透明なフィルム形状とすることもできる。この場合には、メタルドーム２４全体、又は内部表面を導電性の物質から構成する。
メタルドーム光通過部３７は、メタルドーム２４の頭頂部に形成される押子３３の周りを取り囲むように形成する（図９も参照のこと）。
もっとも、メタルドーム光通過部３７の形状は、発光部２７ａの光を通過させることができる形状であればどのようなものであってもよい。
【００６１】
メタルドーム２４の表面方向位置には、キーシート３２のキートップ３０が配置されている。
キートップ３０のキートップ側面３４には、反射処理がなされている。反射処理とは、具体的には、金属材料（銀、アルミニウム、銅等）を蒸着する。さらに、場合によっては、光を反射するシールを張り付けることによる。
もっとも、これに限定する趣旨ではなく、光を反射させることができるのであればどのようなものであってもよい。
【００６２】
このような構成によって、図７のように発光部２７ａから照射された光は、プリント基板光通過部３８を通過し、さらに、メタルドーム光通過部３７を通過して、キーシート３２に入射する。
そして、キーシート３２に入射した光は、直接又はキートップ側面３４によって反射されて間接的にキートップ頭頂面３６から放射される。
この際に、キートップ側面３４には、反射処理がなされているのであるから、キーシート３２に入射した光は、キートップ３０に隣接しているフロントケース６の透明部６ａにはほとんど漏れ出さない。
【００６３】
図８は、照光方法を説明する説明図である。
【００６４】
キートップ３０に形成されたキー図形４０を照光する方法として、面照光と文字照光という方法がある。
キー図形４０とは、キートップ頭頂面３６に形成されている、文字、図形を総称する概念である。
図８（ａ）は、面照光による方法を表している。
面照光とは、キートップ３０の表面に光を透過しない色をキー図形４０の形に印刷し、キー図形４０を照光させないことによる方法である。
そして、キー表面には光を透過しない材料によってキー図形４０を構成する。
【００６５】
図８（ｂ）は、文字照光による方法を表している。
文字照光とは、キー図形４０の部分を除いた部分にキートップ３０の表面に光を透過しない色を印刷して、キー図形４０のみを照光させる方法である。
【００６６】
なお、これ以外に、複数のキートップ３０の間の隙間部分を照光する輪郭照光の方法もある。
【００６７】
図９は、プリント基板２１の説明図である。
【００６８】
図９（ａ）は、表面方向の位置から見たプリント基板２１の外観図である。
図９の様に、プリント基板２１上には複数（図９では、１２個）のメタルドーム２４が配置されている。
そして、メタルドーム２４の中心である、頭頂部に円柱形状の押子３３が配置されている。この押子３３を取り囲むように、メタルドーム光通過部３７が配置されている。
メタルドーム光通過部３７は、長穴構造であり、押子３３を中心にしてカーブを描いている。
もっとも、メタルドーム光通過部３７の構造は、これに限る趣旨ではなく、任意の形状を取りうる。
【００６９】
図９（ｂ）は、裏面方向の位置から見たプリント基板２１の外観図である。
図９（ｂ）の様に、メタルドーム２４が配置されている領域内部には、発光部２７ａが配置されている。
【００７０】
以上のような構成によって、発光部２７ａから出射された光はキートップ３０のみを照射することができる。
これによって、任意のキートップ３０のみを照光することが可能である。
また、キートップ３０とその周りの透明部６ａを異なる色に照光することが可能となり、イルミネーションの自由度が上がり、意匠性が向上する。
さらに、任意のキートップ３０のみを照光することができるのであるから、キー操作のガイドなどに利用することができる。
具体的には、表示部８に複数の選択肢が表示されている場合に、選択肢毎に異なる色で表示しておき、それに対応するキーのキートップ３０を同じ色に照光することによって、
ユーザが容易に選択することができるようにすることができる。
【００７１】
なお、発光部２７ａが十分に小型化された場合には、発光部２７ａは、プリント基板２１の表面方向の位置に配置されていてもよい。つまり、メタルドーム２４とプリント基板２１によって形成されている内部空間に配置されていてもよい。
この場合には、プリント基板光通過部３８は不要となる。
【００７２】
また、発光部２７ａは、表面方向に発光しないものであってもよい。つまり、内部筐体２０側に配置して、裏面方向である内部筐体側に発光することもできる。
この場合には、発光部２７ａが実装された位置以外の場所にプリント基板光通過部３８を形成する。
そうすると、発光部２７ａから出射した光は、内部筐体収納部３９の表面において反射し、その後、プリント基板光通過部３８を通過し、そして、キートップ３０を照光する。
この場合には、内部筐体２０をアルミニウムのように反射率が高い物質によって構成することも可能である。さらに、内部筐体収納部３９の内部に蒸着とうの反射処理を行うことも可能である。
さらに、内部筐体収納部３９の内面形状を、発光部２７ａを中心とした球面構造としてもよい。これによって、より効率的に、発光部２７ａから出射された光がプリント基板光通過部３８を通過するようにすることができる。
【００７３】
図１０は、反射処理の特性を説明する説明図である。
図１０（ａ）は、導光性の観点における、反射処理の比較説明図である。
図１０（ｂ）は、遮光性の観点における、反射処理の比較説明図である。
【００７４】
図１０（ａ）に示されているように、蒸着処理は処理の寸法精度が高い上に、厚みも少ないという特性がある。
この特性によって、蒸着処理されたインジケータ１３又はキートップ３０は、挿入される穴等に隙間なくはめ込むことができるという利点がある。
一方、蒸着ではない処理では、蒸着処理に比べ処理の寸法精度が低いうえに、厚みも大きくなることになる。
蒸着処理には、図１０（ａ）に記載があるように、光を反射する鏡面処理と光を反射しない被処理がある。
蒸着ではない処理には、図１０（ａ）に記載があるように、ミラーインク等による鏡面処理と塗装等の非鏡面処理がある。
図１０（ａ）から分かるように、蒸着処理のうち鏡面処理を行うことは、樹脂が透明・半透明であるか否かに関わらず導光性が優れていることが分かる。
【００７５】
図１０（ｂ）に示されているように、遮光性の観点からは、蒸着の鏡面処理又は非鏡面処理とした場合であっても、非蒸着の鏡面処理又は非鏡面処理との間に差は無い。
しかし、前述したように導光性の点から蒸着のうち鏡面処理を行うことが最もよい方法であることが分かる。
したがって、本発明においてはインジケータ１３又はキートップ３０等の導光部材は蒸着のうち鏡面処理を行ことが最も好ましい。
しかし、これに限定する趣旨ではなく、制作コスト等の観点から、図１０に記載された各処理を行ってもよい。
さらに、たとえば、光反射するシールを張り付けることも可能である。
【００７６】
以上の実施形態によれば、本発明の携帯電話機１は、筐体２と、筐体２内部に配設される発光部２７ａとを有している。
また、発光部２７ａに対向して、発光部２７ａが出射する光を受光するインジケータ受光面１５と筐体２外部に露出して光を放射するインジケータ光放射面１６とを有するインジケータ１３と、を有している。
そして、インジケータ１３のインジケータ受光面１５とインジケータ光放射面１６以外のインジケータ側面１４は、光を内部側で反射させる反射処理がなされている。
このような構成によって、インジケータ１３に入射した光がインジケータ１３の外部に漏れ出すことがなくなる。
また、インジケータ１３のみに反射処理を行えば、インジケータ１３の周囲の筐体２の部材に光を漏れ出すことを防止する処理を行わなくてもよいという効果がある。
【００７７】
インジケータ１３は、携帯電話機１の動作状態を示すインジケータ１３としての機能を有する。
このような構成としたことによって、必ず筐体２の外部に光を導光しなければならないインジケータ１３の周りの筐体２に光漏洩防止処理を行わなくてもよくなる。
【００７８】
筐体２の表面に形成される表示部８を有し、インジケータ１３は、表示部８の近傍に配置されている。
このような構成としたことによって、表示部８の部分にインジケータ１３からの光の漏れ出しを防止することができる。
【００７９】
発光部２７ａは、プリント基板２１上に形成され、インジケータ１３はプリント基板２１と当接状態に形成される。
このような構成としたことによって、発光部２７ａから出射した光のうちインジケータ１３に入射しない光が、他の部分に漏れ出すことを極力防ぐことができる。
なお、本発明において当接状態とは完全に密着している状態のみならず、多少の空間を空けて対向している場合も含む。
【００８０】
インジケータ１３は、有底の穴の形状に形成され発光部２７ａを収納する発光部収納部１７と、発光部収納部１７の周りに形成される張出部１８と、を有している。
また、発光部収納部１７の表面はインジケータ受光面１５を形成し、張出部１８は、プリント基板２１と当接する。
このように構成することによって、発光部２７ａがインジケータ１３に包み込まれるように構成されることになる。
その結果、発光部２７ａから出射された光が効率的にインジケータ１３に入射する。
さらに、プリント基板２１とインジケータ１３との間の隙間が少なくなることから、発光部２７ａから出射された光が他の部分に漏れ出すことがなくなる。
【００８１】
発光部収納部１７の形状は、収納される発光部２７ａを中心とした球面構造となっている。
このような構成によって、発光部２７ａから出射された光をより効率的にインジケータ１３に入射させることができる。
【００８２】
発光部２７ａのインジケータ受光面１５とインジケータ光放射面１６は、対向していない。
このような構成とした場合であっても、本発明においてはインジケータ光放射面１６から光を放射できる。
つまり、本発明においては、インジケータ１３の側面に反射処理がなされているために、インジケータ受光面１５とインジケータ光放射面１６とが対向していなくても、反射により光をインジケータ光放射面１６に導くことができる。
【００８３】
インジケータ１３が配置される周辺部分には、透明又は半透明な透明部６ａが形成されている。
このような構成において、特に、本発明は利点を発揮することができる。
つまり、インジケータ１３の周辺に透明又は半透明な部材が配置されていると、インジケータ１３から漏れ出した光が、その透明又は半透明な部材を通過して筐体２の外部に漏れ出してしまう。
このような場合に、インジケータ１３の側面に反射処理がなされていると、インジケータ１３から光が漏れ出さなくなるという効果を発揮する。
【００８４】
本発明の実施形態における携帯電話機１は、筐体２の内部には、押圧を検出するスイッチ２６が形成されている。
また、キーシート３２は導光部材として形成されている。
また、キーシート３２は、スイッチ２６の表面側の位置に、透明又は半透明に形成され、発光部２７ａは、キーシート３２に光を照射している。
さらに、キーシート３２は、筐体２の外部に露出しており、押圧されるキートップ頭頂面３６と、キートップ側面３４と、を有し、キートップ側面３４には、反射処理がなされている。
このような構成としたことによって、キーシート３２に入射した光がキーシート外部に漏れ出すことを防止することができる。
また、キートップ３０の周辺にキートップ３０から漏れ出した光を遮断する部材を構成する必要がなくなる。
【００８５】
スイッチ２６はプリント基板２１上に、メタルドーム２４と固定接点２５を含んで形成されている。
また、発光部２７ａは、プリント基板２１のメタルドーム２４が形成される部分の内部側に実装されている。
さらに、メタルドーム２４の一部には、発光部２７ａから出射された光を通過させる為のメタルドーム光通過部３７が形成されている。
このような構成によって、キートップ３０の直下からキートップ３０を照光することができる。
そして、キートップ３０の直下からキートップ３０を照光することができるのであるから、発光部２７ａからの光が他の部分に漏れ出す割合を大幅に減少することができる。
【００８６】
発光部２７ａは、プリント基板２１のスイッチ２６が形成される側とは反対の面に実装されており、プリント基板２１には、発光部２７ａａから発光された光を通過させるためのプリント基板光通過部３８が形成されている。
このような構成によって、スイッチ２６の機能を阻害せずに、発光部２７ａａをスイッチ２６部分に配置することができる。
【００８７】
プリント基板２１の内部側の位置に内部筐体２０が配置されており、内部筐体２０の表面側位置には、有底の穴形状に形成され発光部２７ａを収納する内部筐体収納部３９が形成されている。
このように構成することによって、発光部２７ａをプリント基板２１上に配置しつつ、スイッチ２６機能を阻害しない構造とすることができる。
【００８８】
内部筐体収納部３９は、発光部２７ａを中心とした球面形状である。
この様に構成することによって、発光部２７ａから出射した光をより効率的にプリント基板光通過部３８に導くことができる。
【００８９】
メタルドーム光通過部３７は、貫通穴又は透明部材によって形成されている。
このように構成することによって、容易に、メタルドーム光通過部３７を形成することができる。
【００９０】
プリント基板光通過部３８は、貫通穴又は透明部材によって形成されている。
このように構成することによって、容易に、プリント基板光通過部３８を形成することができる。
【００９１】
キートップ側面３４の周辺には、透明又は半透明な透明部６ａが配置されている。
このような場合に、特に、本発明の効果が発揮される。
つまり、キートップ側面３４の周辺に透明又は半透明な部材が配置されていると、キートップ側面３４から漏れ出した光が、その透明又は半透明な部材を通過して筐体２の外部に漏れ出してしまう。
このような場合に、キートップ側面３４に反射処理がなされていると、キートップ側面３４から光が漏れ出さなくなるという効果を発揮する。
【００９２】
反射処理は、金属蒸着によってなされている
このような構成によって、容易に反射処理を行う部材を作製することができる。
【００９３】
なお、以上の実施形態において、筐体２とは、携帯電子機器を収容する容器に該当するものであればどのようなものであってもよい。さらに、容器の一部、例えば、フロントケース６及びリアケース７であっても筐体２に該当する。
また、以上の実施態様において、インジケータ１３及びキーシート３２は本発明における導光部材の一例である。
つまり、本発明における導光部材とは、筐体２内部に配置されている発光部２７ａの光を筐体２の外部に導く物であればどのようなものであってもよい。なぜなら、光を通過させる部材であれば周りの部材への光の漏れ出しを防止する必要が等しくあるからである。
【００９４】
キーシート３２は、キートップ３０とラバーベース３１とを総称する概念である。また、キートップ３０は必ずしもキートップ３０とラバーベース３１が別体として構成されている必要はなく、一体形成されていてもよい。さらに、キートップ３０がなくラバーベース３１に直接キー図形４０が形成されているような場合におけるラバーベース３１についてもキーシート３２に含まれる。
【００９５】
本発明は、以上の実施形態に限定されず、種々の態様で実施されてよい。
【００９６】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００９７】
１…携帯電話機、２…筐体、６…フロントケース、６ａ…透明部６ａ…非透明部、７…リアケース、８…表示部、１０…入力部、１１…右側面、１２…左側面、１３…インジケータ（導光部材）、１４…インジケータ側面、１５…インジケータ受光面（受光面）、１６…インジケータ光放射面（放射面）、１７…発光部収納部、１８…張出部、２０…内部筐体、２１…プリント基板、２２…バッテリ、２３…バッテリカバー、２４…メタルドーム、２５…固定接点、２６…スイッチ、２７ａ…発光部、２７ａ…発光部、２８…バッテリ収納部、３０…キートップ、３１…ラバーベース、３２…キーシート（導光部材）、３３…押子、３４…キートップ側面、３５…キー開口部、３６…キートップ頭頂面、３７…メタルドーム光通過部、３８…プリント基板光通過部、３９…内部筐体収納部、４０…キー図形、５０…上側面、５１…下側面、５２…液晶パネル、Ａ…キー照光部
【図１】
2011010101.tif 000003
【図２】
2011010101.tif 000004
【図３】
2011010101.tif 000005
【図４】
2011010101.tif 000006
【図５】
2011010101.tif 000007
【図６】
2011010101.tif 000008
【図７】
2011010101.tif 000009
【図８】
2011010101.tif 000010
【図９】
2011010101.tif 000011
【図１０】
2011010101.tif 000012